(57)【要約】【課題】ルックアップテーブルメモリのメモリサイズを増やすことなく、ルックアップテーブルメモリの書き換え中でも表示画像の大きな乱れなどを生じさせない信号調整装置を提供する。【解決手段】信号調整装置は、所定の選択信号に応じて、入力信号あるいはアドレス信号を選択して出力するアドレス信号選択手段と、ルックアップテーブルを記憶するメモリと、色信号のレベルを近似式により補正して出力する近似手段と、書き換えデータを取得するデータ取得手段と、所定の選択信号に応じて、出力色信号を選択して出力する出力信号選択手段とを具備し、ルックアップテーブルを書き換える場合は、近似手段においてアドレス信号選択手段が選択した入力信号を近似式で補正し、補正した信号を出力信号選択手段に出力している間に、メモリにおいてアドレス信号選択手段が選択したアドレス信号に対応するアドレスにデータ取得手段が取得した書き換えデータを書き込む。【選択図】図１
2008301381.tif 000002
【特許請求の範囲】
【請求項１】
所定の選択信号に応じて、入力信号あるいはアドレス信号を選択して出力するアドレス信号選択手段と、
ルックアップテーブルを記憶するメモリと、
色信号のレベルを近似式により補正して出力する近似手段と、
書き換えデータを取得するデータ取得手段と、
前記所定の選択信号に応じて、出力色信号を選択して出力する出力信号選択手段とを具備し、
前記ルックアップテーブルを書き換える場合は、前記近似手段において前記アドレス信号選択手段が選択した前記入力信号を前記近似式で補正し、補正した信号を前記出力信号選択手段に出力している間に、前記メモリにおいて前記アドレス信号選択手段が選択した前記アドレス信号に対応するアドレスに前記データ取得手段が取得した前記書き換えデータを書き込む、
ことを特徴とする信号調整装置。
【請求項２】
前記近似式は、書き換え後の前記ルックアップテーブルの入出力特性に近似であることを特徴とする請求項１記載の信号調整装置。
【発明の詳細な説明】
【技術分野】
【０００１】
本発明は、ルックアップテーブルを用いて色補正を行う信号調整装置に関する。
【背景技術】
【０００２】
ＰＤＰ、ＬＣＤ等の表示装置には、表示デバイス、例えばＰＤＰの非線形な入出力特性を補正するために信号調整装置が設けられている。信号調整装置では、赤（Ｒ）、緑（Ｇ）、青（Ｂ）の入出力の非線形な対応関係が示されたルックアップテーブルにより、補正が行われる。図３は、従来の信号調整装置の概略構成を示すブロック図である。従来の信号調整装置３００は、アドレスセレクタ３１０と１つのＲＡＭ３２０とを有している。また、１つのデータセレクタ（図示せず）を有している。ＲＡＭ３２０は、赤（Ｒ）、緑（Ｇ）、青（Ｂ）各色のルックアップテーブルを記憶する。
【０００３】
アドレスセレクタ３１０は、データセレクタからのセレクト信号ＳＥＬ３３０に従って、入力信号ＩＮ３４０または、外部のアドレスバス（図示せず）を介して供給されたアドレス信号ＡＤＤＲ３５０を、入力アドレス信号として選択してＲＡＭ３２０に供給する。
【０００４】
ＲＡＭ３２０の書き込みを行うためには、ライトイネーブル信号ＷＥ３７０をＲＡＭ３２０に供給しライトデータＷＤ３６０をＲＡＭ３２０に供給する。
【０００５】
通常、信号調整装置の動作中においては、アドレスセレクタ３１０は、セレクト信号ＳＥＬ３３０に従って、入力信号ＩＮ３４０を選択する。ＲＡＭ３２０は、入力信号ＩＮ３４０の値をアドレスとし、それに対応するデータを出力信号ＯＵＴ３８０に出力する。
【０００６】
しかし、信号調整装置の使用途中で、例えば、コントラストを強調したりブライトネスを調整したい場合、ルックアップテーブルを書き換えることがある。
【０００７】
通常、信号調整装置の動作中におけるルックアップテーブルの書き換えは、映像ブランキング期間中に実行されるのが普通である。しかし、ルックアップテーブルのサイズと書き換え速度によっては、比較的時間を要する。このため、表示途中で書き換えが発生すると、その書き換え時の出力されるデータが表示画面上にノイズとして重畳されるという問題が発生する。
【０００８】
そこで、上記問題を解決する技術として、画像表示装置がＲＧＢ３チャンネルのルックアップテーブル（ＬＵＴ）に空きＬＵＴを追加した４つのＬＵＴをもち、ＬＵＴの書き換えが必要となったときに、空きＬＵＴに新Ｒ−ＬＵＴ、旧Ｒ−ＬＵＴに新Ｇ−ＬＵＴ、旧Ｇ−ＬＵＴに新Ｂ−ＬＵＴを順にＬＵＴを書き換えていき１つのＬＵＴの書き換え中も他の３つのＬＵＴを用いて表示する技術が公知である（例えば、特許文献１参照）。
【特許文献１】特開２００１−３５６７５４号公報
【発明の開示】
【発明が解決しようとする課題】
【０００９】
しかしながら、上記特許文献１に記載された方法では、ＬＵＴの容量が増えてしまうという問題があった。また、ＲＧＢのうち１チャンネルのＬＵＴのみが更新された状態で画像を表示するので、色バランスが崩れた状態で画像を表示してしまうという問題もあった。
【００１０】
本発明は、上記事情に鑑みてなされたものであり、ルックアップテーブルメモリのメモリサイズを増やすことなく、ルックアップテーブルの書き換え中でも表示画像の大きな乱れなどを生じさせない信号調整装置を提供することを目的とする。
【課題を解決するための手段】
【００１１】
本発明の請求項１に係る信号調整装置は、所定の選択信号に応じて、入力信号あるいはアドレス信号を選択して出力するアドレス信号選択手段と、ルックアップテーブルを記憶するメモリと、色信号のレベルを近似式により補正して出力する近似手段と、書き換えデータを取得するデータ取得手段と、所定の選択信号に応じて、出力色信号を選択して出力する出力信号選択手段とを具備し、ルックアップテーブルを書き換える場合は、近似手段においてアドレス信号選択手段が選択した入力信号を近似式で補正し、補正した信号を出力信号選択手段に出力している間に、メモリにおいてアドレス信号選択手段が選択したアドレス信号に対応するアドレスにデータ取得手段が取得した書き換えデータを書き込む、ことを特徴とする。
【００１２】
また、本発明の請求項２に係る信号調整装置は、請求項１の構成において、近似式は、書き換え後のルックアップテーブルの入出力特性に近似であることを特徴とする。
【発明の効果】
【００１３】
本発明の信号調整装置によれば、ルックアップテーブルメモリのメモリサイズを増やすことなく、ルックアップテーブルの書き換え中でも表示画像の大きな乱れなどを生じさせないことが可能となる。
【発明を実施するための最良の形態】
【００１４】
以下、図面を参照して本発明の実施の形態を説明する。
【００１５】
（実施の形態１）
図１は、本発明の実施の形態１に係る信号調整装置の全体構成を示すブロック図である。信号調整装置１００は、アドレスセレクタ１１０と信号セレクタ１９０とＲＡＭ１２０とを有している。また、セレクト信号ＳＥＬ１３０を有し、ルックアップテーブルの入出力特性と近似可能な近似回路２００を備え、ＲＡＭ１２０は、赤（Ｒ）、緑（Ｇ）、青（Ｂ）各色のルックアップテーブルを記憶する。
【００１６】
アドレスセレクタ１１０は、セレクト信号ＳＥＬ１３０に従って、入力信号ＩＮ１４０または、外部のアドレスバス（図示せず）を介して供給されるアドレス信号ＡＤＤＲ１５０を、入力アドレス信号として選択してＲＡＭ１２０に供給する。
【００１７】
ＲＡＭ１２０の書き込みを行うためには、ライトイネーブル信号ＷＥ１７０をＲＡＭ１２０に供給しライトデータＷＤ１６０をＲＡＭ１２０に供給することにより実現する。
【００１８】
通常、信号調整装置の動作中においては、アドレスセレクタ１１０は、セレクト信号ＳＥＬ１３０に従って、入力信号ＩＮ３４０とＲＡＭ１２０の入力を接続する。また、信号セレクタ１９０はセレクト信号ＳＥＬ１３０に従って、ＲＡＭ１２０の出力を出力信号ＯＵＴ１８０に接続する。ＲＡＭ１２０は、入力信号ＩＮ１４０の値をアドレスとし、それに対応するデータを出力信号ＯＵＴ１８０に出力する。
【００１９】
ルックアップテーブルの書き換え時には、アドレスセレクタ１１０は、セレクト信号ＳＥＬ１３０に従って、入力信号ＩＮ１４０と近似回路２００の入力を接続する。また、信号セレクタ１９０は、セレクト信号ＳＥＬ１３０に従って、近似回路２００の出力を出力端子ＯＵＴ１８０に接続する。図２は、接続後のブロック図である。近似回路２００は例えば１次式で近似可能な回路である。近似式に設定する近似式は、ルックアップテーブル書き換え後の入出力特性に近似する近似式を設定する。
【００２０】
そして、近似回路２００で色信号の補正処理中にルックアップテーブルメモリ書き換え処理を行う。アドレスセレクタ１１０は、セレクト信号ＳＥＬ１３０に従って、ＡＤＤＲ１５０をＲＡＭ１２０の入力に接続する。ライトイネーブル信号ＷＥ１７０をＲＡＭ３２０に供給しライトデータＷＤ１６０をＲＡＭ１２０に供給することにより実現する。
【００２１】
ルックアップテーブルの書き換えが終了したときには、アドレスセレクタ１１０は、セレクト信号ＳＥＬ１３０に従って、入力信号ＩＮ１４０とＲＡＭ１２０の入力を接続する。また、信号セレクタ１９０はセレクト信号ＳＥＬ１３０に従って、ＲＡＭ１２０の出力と出力信号ＯＵＴ１８０を接続する。ＲＡＭ１２０は、入力信号ＩＮ１４０の値をアドレスとし、それに対応するデータを出力信号ＯＵＴ１８０に出力する。
【００２２】
なお、近似回路は１次の近似回路としたが、２次または３次またはその他の近似式でああってもよい。
【００２３】
なお、入力信号が輝度Ｙに対してルックアップテーブルを用いて信号補正する場合でも本発明を適用することができる。
【産業上の利用可能性】
【００２４】
本発明の信号調整装置によれば、ルックアップテーブルメモリのメモリサイズを増やすことなく、ルックアップテーブルの書き換え中でも表示画像の大きな乱れなどを生じさせないため、テレビジョン受像機等に用いる色補正を行う画像処理装置において有用である。
【図面の簡単な説明】
【００２５】
【図１】本発明の実施の形態１に係る信号調整装置の全体構成を示すブロック図
【図２】本発明の実施の形態１に係るルックアップテーブル書き換え中の処理の場合の構成を示すブロック図
【図３】従来技術の構成を示すブロック図
【符号の説明】
【００２６】
１００    信号調整装置
１１０    アドレスセレクタ
１２０    ＲＡＭ
１３０    セレクト信号ＳＥＬ
１４０    入力信号ＩＮ
１５０    アドレス信号ＡＤＤＲ
１６０    ライトデータＷＤ
１７０    ライトイネーブル信号ＷＥ
１８０    出力信号ＯＵＴ
１９０    信号セレクタ
２００    近似回路
【図１】
2008301381.tif 000003
【図２】
2008301381.tif 000004
【図３】
2008301381.tif 000005